(57)【要約】【課題】シート材を粘着部にて指に固着することができるとともに、指を覆うことできるため、ネイル化粧料を効率的に除去することができるネイル除去具を提供する。【解決手段】可撓性を有するシート材２と、シート材２上に配設された粘着部３とを備え、粘着部３の長さは、指の爪を有する一方面側から指の爪と反する他方面側に粘着する長さを有し、シート材２の形状は、粘着部３を指６の爪７を有する一方面側６ａから指６の爪７と反する他方面側６ｂに粘着させた状態において、指６の爪７を有する部分を覆うように巻き付けることができる形状にて形成されている。【選択図】図１
2013220257.tif 000002
【特許請求の範囲】
【請求項１】
可撓性を有するシート材と、
上記シート材上に配設された粘着部とを備え、
上記粘着部の長さは、指の爪を有する一方面側から上記指の爪と反する他方面側に粘着する長さを有し、
上記シート材の形状は、上記粘着部を指の爪を有する一方面側から上記指の爪と反する他方面側に粘着させた状態において、上記指の爪を有する部分を覆うように巻き付けることができる形状にて形成されていることを特徴とするネイル除去具。
【請求項２】
上記粘着部は、上記シート材上に横断するとともに直線状にて形成されていることを特徴とする請求項１に記載のネイル除去具。
【請求項３】
上記粘着部は、上記シート材上の中央部に形成されていることを特徴とする請求項１または請求項２に記載のネイル除去具。
【請求項４】
上記シート材は、矩形にて形成され、
上記粘着部は、上記矩形の相対する辺間を横断することを特徴とする請求項１ないし請求項３のいずれか１項に記載のネイル除去具。
【請求項５】
上記シート材の最大辺長は、７ｃｍ以上１１ｃｍ以下にて形成されていることを特徴とする請求項４に記載のネイル除去具。
【請求項６】
上記シート材は、アルミ材にて形成されていることを特徴とする請求項１ないし請求項５のいずれか１項に記載のネイル除去具。
【請求項７】
上記粘着部の短手方向の幅は、５ｍｍ以上１０ｍｍ以下にて形成されていることを特徴とする請求項１ないし請求項６のいずれか１項に記載のネイル除去具。
【請求項８】
上記粘着部上に剥離材を備えたことを特徴とする請求項１ないし請求項７のいずれか１項に記載のネイル除去具。
【請求項９】
上記粘着部上にネイル除去化粧料が吸収可能な吸液部を備えたことを特徴とする請求項１ないし請求項８のいずれか１項に記載のネイル除去具。
【請求項１０】
請求項１ないし請求項８のいずれか１項に記載のネイル除去具の使用方法において、
上記粘着部上にネイル除去化粧料が吸収可能な吸液部を粘着する工程と、
上記吸液部にネイル除去化粧料を吸収させる工程と、
指の爪上に上記吸液部を載置するとともに、上記指の爪を有する一方面側に上記粘着部の一部を粘着させる工程と、
上記シート材を上記一方面側から上記指の爪と反する他方面側に折りたたみ上記他方面側に上記粘着部の他部を粘着させる工程と、
上記シート材の上記指に粘着されている箇所以外を上記指の爪を有する部分を覆うように巻き付ける工程とを備えたことを特徴とするネイル除去具の使用方法。
【請求項１１】
請求項９に記載のネイル除去具の使用方法において、
上記吸液部にネイル除去化粧料を吸収させる工程と、
指の爪上に上記吸液部を載置するとともに、上記指の爪を有する一方面側に上記粘着部の一部を粘着させる工程と、
上記シート材を上記一方面側から上記指の爪と反する他方面側に折りたたみ上記他方面側に上記粘着部の他部を粘着させる工程と、
上記シート材の上記指に粘着されている箇所以外を上記指の爪を有する部分を覆うように巻き付ける工程とを備えたことを特徴とするネイル除去具の使用方法。
【発明の詳細な説明】
【技術分野】
【０００１】
この発明は、爪に施されているネイル化粧料等を効率的に除去するために使用するネイル除去具およびネイル除去具の使用方法に関するものである。
【背景技術】
【０００２】
従来のネイル除去具は、適宜な幅と長さを有するテープ本体を設け、該テープ本体の、片面両端部にそれぞれ粘着材を設け、一方の粘着材に、略、隣接して、適宜な幅のコットン等の保水部材を設け、 該テープ本体の一端部の粘着材で指の腹に固定し、巻き始めとしてしっかり固定し、次に、除去液を、事前に含ませた、あるいは、その際含ませた保水部材を、ジェルネイルの付着した爪に密着するようテープ本体を指先に巻き回しし、テープ本体の他端部の粘着材でテープ本体を固定し、適当な時間、そのままの状態で放置し、その後、テープ本体を剥がし、爪に塗布したジェルネイルを膜状に取り除くものである（例えば、特許文献１参照）。
また、他の従来のネイル除去具は、柔軟な材料で作られ一端が開口部を有する指サック状の袋体の内壁に、マニキュアの除去剤を含ませた脱脂綿等の含浸材を内張り状に設けてなるものである（例えば、特許文献２参照）。
また、他の従来のネイル除去具は、逆Ｔ字状に形成されたアルミ材に、テープおよびコットンを備えたものがある。
また、他の従来のネイル除去具は、正方形に形成されているアルミ材にてなるものがある。
【先行技術文献】
【特許文献】
【０００３】
【特許文献１】特開２０１１−３６４５７号公報
【特許文献２】実開平６−３８８０８号公報
【発明の概要】
【発明が解決しようとする課題】
【０００４】
１つめの従来のネイル除去具によれば、テープ本体に巻き付けた後に、除去液が揮発してしまい、ネイル化粧料を除去する効果が薄れるという問題点があった。
また、２つめの従来のネイル除去具によれば、除去液が揮発することは防止できるものの、構造が複雑で、かさばり、コスト的に高価であるという問題点があった。
また、３つめの従来のネイル除去具によれば、巻き付けた後のアルミ材に隙間が生じ、除去液が揮発してしまい、ネイル化粧料を除去する効果が薄れるという問題点があった。
また、４つめの従来のネイル除去具によれば、アルミ材を爪に固定する際にずれ、除去液が的確に爪に接触せず、ネイル化粧料を除去する効果が薄れるという問題点があった。
【０００５】
この発明は上記のような課題を解決するためになされたものであり、低コストであり、かつ、ネイル化粧料を効率的に除去することができるネイル除去具およびネイル除去具の使用方法を提供することを目的とする。
【課題を解決するための手段】
【０００６】
この発明のネイル除去具は、
可撓性を有するシート材と、
上記シート材上に配設された粘着部とを備え、
上記粘着部の長さは、指の爪を有する一方面側から上記指の爪と反する他方面側に粘着する長さを有し、
上記シート材の形状は、上記粘着部を指の爪を有する一方面側から上記指の爪と反する他方面側に粘着させた状態において、上記指の爪を有する部分を覆うように巻き付けることができる形状にて形成されているものである。
【０００７】
また、この発明のネイル除去具の使用方法は、
上記粘着部上にネイル除去化粧料が吸収可能な吸液部を粘着する工程と、
上記吸液部にネイル除去化粧料を吸収させる工程と、
指の爪上に上記吸液部を載置するとともに、上記指の爪を有する一方面側に上記粘着部の一部を粘着させる工程と、
上記シート材を上記一方面側から上記指の爪と反する他方面側に折りたたみ上記他方面側に上記粘着部の他部を粘着させる工程と、
上記シート材の上記指に粘着されている箇所以外を上記指の爪を有する部分を覆うように巻き付ける工程とを備えたものである。
【発明の効果】
【０００８】
この発明のネイル除去具は、
可撓性を有するシート材と、
上記シート材上に配設された粘着部とを備え、
上記粘着部の長さは、指の爪を有する一方面側から上記指の爪と反する他方面側に粘着する長さを有し、
上記シート材の形状は、上記粘着部を指の爪を有する一方面側から上記指の爪と反する他方面側に粘着させた状態において、上記指の爪を有する部分を覆うように巻き付けることができる形状にて形成されているので、
シート材を粘着部にて指に固着することができるとともに、指を覆うことできるため、ネイル化粧料を効率的に除去することができるものである。
【０００９】
また、この発明のネイル除去具の使用方法は、
上記粘着部上にネイル除去化粧料が吸収可能な吸液部を粘着する工程と、
上記吸液部にネイル除去化粧料を吸収させる工程と、
上記吸液部にネイル除去化粧料を吸収させる工程と、
指の爪上に上記吸液部を載置するとともに、上記指の爪を有する一方面側に上記粘着部の一部を粘着させる工程と、
上記シート材を上記一方面側から上記指の爪と反する他方面側に折りたたみ上記他方面側に上記粘着部の他部を粘着させる工程と、
上記シート材の上記指に粘着されている箇所以外を上記指の爪を有する部分を覆うように巻き付ける工程とを備えたので、
シート材を粘着部にて指に固着することができるとともに、指を覆うことできるため、ネイル除去化粧料を爪の部分に効率的に浸透させることができるものである。
【図面の簡単な説明】
【００１０】
【図１】この発明の実施の形態１のネイル除去具の構成を示す図である。
【図２】図１に示したネイル除去具の使用方法を示す図である。
【図３】図１に示したネイル除去具の使用方法を示す図である。
【図４】図１に示したネイル除去具の使用方法を示す図である。
【図５】この発明の実施の形態１の他のネイル除去具の構成を示す図である。
【図６】この発明の実施の形態１の他のネイル除去具の構成を示す図である。
【図７】この発明の実施の形態１の他のネイル除去具の構成を示す図である。
【図８】この発明の実施の形態１の他のネイル除去具の構成を示す図である。
【図９】この発明の実施の形態１の他のネイル除去具の構成を示す図である。
【図１０】この発明の実施の形態２のネイル除去具の構成を示す図である。
【発明を実施するための形態】
【００１１】
実施の形態１．
以下、本願発明の実施の形態について説明する。図１はこの発明の実施の形態１におけるネイル除去具の構成を示す図で、図１（ａ）はネイル除去具の正面図、図１（ｂ）はネイル除去具の側面図、図１（ｃ）はネイル除去具の底面図である。図２ないし図４は図１に示したネイル除去具の使用方法を示した図、図２（ａ）はネイル除去具の正面図、図２（ｂ）はネイル除去具の側面図、図２（ｃ）はネイル除去具の底面図で、図４（ｃ）は図４（ｂ）のｃ−ｃ線断面を示した断面図である。図５および図６はこの発明の実施の形態１の他のネイル除去具の構成を示した図で、図５（ａ）、図６（ａ）はネイル除去具の正面図、図５（ｂ）、図６（ｂ）はネイル除去具の側面図である。尚、各図において、厚み方向の記載は、それぞれの部材が理解しやすいように誇張して示したものであり、実際には薄厚である。
【００１２】
図において、ネイル除去具１は、可撓性を有するシート材２と、シート材２上に横断するように配設された粘着部３と、粘着部３上に形成された剥離材４とにて構成されている。さらに、使用時においては、粘着部３上にネイル除去化粧料が吸収可能な吸液部５を備える。そして、粘着部３の長さは、粘着部３を指６の爪７を有する一方面６ａ側から爪７と反する他方面６ｂ側に粘着する長さを有している。そして、シート材２の形状は、粘着部３を指６の爪７を有する一方面６ａ側から指６の爪７と反する他方面６ｂ側に粘着させた状態において、指６の爪７を有する部分を覆うように巻き付けることができる形状である。そして、可撓性を有するシート材２とは、指６に沿って折ったり巻き付けたりすることができる程度のものである。また、シート材２は、外力により指６に巻き付けた状態を維持できる程度のものである。また、シート材２は、ネイル除去化粧料に対する耐性を有する（但し、使用時間に耐える程度でよい）とともに、ネイル除去化粧料を吸収しないものにて形成されている。
【００１３】
また、シート材２は指６に巻き付けて使用するため、その作業性に耐える程度の厚みおよび耐久性を有するものである。そして具体的には、シート材２は、コスト面および使用面に適している、例えば、アルミ材にて形成されることが考えられ、厚みｈ１は、例えば、５μｍ〜２５μｍ程度のものを用いる。これは、耐液性および耐久性および操作性およびコスト面および製造性などから設定された範囲である。また、シート材２は、矩形で、ここでは正方形にて形成されている。そして、粘着部３は、矩形の相対する辺間を横断するように形成されている。このような矩形の形状を用いれば、作業性に優れている点、また、製造が簡便となる点の効果が考えられる。
【００１４】
また、シート材２の最大辺長ｔ１、ｔ２は、７ｃｍ以上１１ｃｍ以下にて形成されている。小さすぎると、指６の爪７を有する部分に巻き付けさせることができなり、また、大きすぎると、シート材２が指６の爪７を有する部分に巻き付ける必要以上となり不必要な部分が多くなり使用しにくくなる。また、粘着部３は、シート状２上を横断するとともに直線状にて形成されている。また、粘着部３は、シート材２上の中央部に形成されている。また、粘着部３の短手方向の幅ｔ３は、５ｍｍ以上１０ｍｍ以下にて形成されている。これは、５ｍｍより小さいと、作業上において指６に対して必要となる粘着を容易に得ることができにくい。また、１０ｍｍより大きいと、高コストとなり、指６に対して必要以上の粘着となり剥がしにくくなり、必要以上の箇所を粘着することが考えられる。このため、指６に対して作業上に必要となる程度の粘着を得られ、低コストとなり、必要以上な箇所に粘着を生じないことより設定されているものである。
【００１５】
そして、粘着部３は、吸液部５を粘着可能な程度の粘着力、および、指６に粘着可能な程度の粘着力を有するものである。また、粘着部３は皮膚（指６）に直接接するため、皮膚に対し安全性を有する（但し、使用時間に対して安全性を有する程度）ものを用いる。また、剥離材４は、粘着部３が必要箇所以外に粘着することを防止するためのものであり、使用前において、ネイル除去具１同士が粘着したり、ネイル除去具１が他の箇所に粘着したりするのを防止している。
【００１６】
そして、吸液部５は、例えば、コットン材またはガーゼ材またはスポンジ材にて形成されているものであり、ネイル化粧料を除去することができる程度のネイル除去化粧料を吸収して保持することができるものである。また、吸液部５の大きさとしては、指６の爪７より若干大きい程度、一例としてはｔ４が１５ｍｍ、ｔ５が２０ｍｍ程度の大きさが考えられる。小さすぎると、爪７にネイル除去化粧料が行き渡りにくくなるし、大きすぎると、爪７以外の指６にネイル除去化粧料が触れることとなり、コスト面および安全面において適さない。尚、以上に示したことは、以下の実施の形態においても同様であるためその説明は適宜省略する。
【００１７】
次に上記のように構成された実施の形態１のネイル除去具の使用方法について、図２ないし図４に基づいて説明する。まず、粘着部３上の剥離材４を剥がす。次に、粘着部３上にネイル除去化粧料が吸収可能な吸液部５を粘着する（図２）。この際、図２（ａ）上、粘着部３の長手方向の半分より下の部分に粘着する。この位置は、後工程において行いやすい位置となる。次に、吸液部５にネイル除去化粧料を吸収させる。次に、指６の爪７上に吸液部５を載置するとともに、指６の爪７を有する一方面６ａ側に粘着部３の一部３ａを粘着させる（図３（ａ））。このとき、シート材２が、指の６の爪７上に吸液部５が載置された状態で、指６に粘着された状態を保つことでき、以後の工程が行いやすい。
【００１８】
次に、シート材２を一方面６ａ側から指６の爪７と反する他方面６ｂ側に折りたたみ、他方面６ｂ側に粘着部３の他部３ｂを粘着させる（図３（ｂ））。このとき、シート材２が指６に確実に粘着され、吸液部５が爪７の位置からずれることを防止する。次に、シート材２の指６に粘着されている箇所以外を指６の爪７を有する部分を覆うように、まず、一方の（ここでは図面上左側）シート材２を指６に巻き付け（図４（ａ））、続けて、他方の（ここでは図面上右側）のシート材２を指６に巻き付ける（図４（ｂ））。
【００１９】
そして、図４（ｃ）に示すように、指６の爪７を有する一方面６ａ側に粘着部３の一部３ａが粘着され、指６の爪７と反する他方面６ｂ側に粘着部３の他部３ｂが粘着された状態となる。そして、シート材２の指６に粘着されている箇所以外が指６の爪７を有する部分を覆うように巻き付けられた状態となる。このため、ネイル除去化粧料が保持された吸液部５が爪７と密着した状態が保持される。よって、シート材２は指６にさらに確実に保持され、吸液部５は爪７の位置からずれることなく、爪７のネイル化粧料にネイル除去化粧料を密着させた状態を保持することができる。また、吸液部５が外気に触れることがないため、揮発性を有するネイル除去化粧料の揮発を防止することができる。よって、爪７のネイル化粧料に有効的に浸透しネイル除去化粧料が作用する。そして、一定時間放置した後、シート材２を指６から、例えば、先の巻き付けの反対の手順にて取り外す。すると、指６の爪７上のネイル化粧料に、吸液部５に吸収されているネイル除去化粧料が浸透し、指６の爪７上のネイル化粧料を除去することができる。
【００２０】
また、このようなネイル除去具１を製造する場合、大きなシート材上に、所定の間隔を隔てて粘着部および剥離材となるような粘着テープを粘着させ、上記実施の形態１にて示したような所望の大きさにて切断することにより、容易にネイル除去具１を製造することが可能である。
【００２１】
上記のように構成された実施の形態１のネイル除去具およびネイル除去具の使用方法によれば、シート材を粘着部にて指に固着することができるとともに、指を覆うことできるため、吸液部に吸収させたネイル除去化粧料をネイル化粧料に浸透させ、効率的に除去することができる。
【００２２】
また、粘着部は、シート材上に横断するとともに直線状にて形成されているため、指への粘着を容易に行うことができる。また、シート材を製造する場合において、簡便に製造を行うことができる。
【００２３】
また、粘着部は、シート材上の中央部に形成されているため、吸液部の粘着が容易となり、さらに、シート材の指への巻き付けが容易となる。
【００２４】
また、シート材は、矩形にて形成され、粘着部は、矩形の相対する辺間を横断しているため、シート材の指への巻き付けが容易となる。
【００２５】
また、シート材の最大辺長は、７ｃｍ以上１１ｃｍ以下にて形成されているため、シート材の指への巻き付けが容易となる。
【００２６】
また、シート材は、アルミ材にて形成されているため、シート材の指への巻き付けが容易となり、かつ、シート材の指への保持性を確保することができる。
【００２７】
また、粘着部の短手方向の幅は、５ｍｍ以上１０ｍｍ以下にて形成されているため、シート材の指へ粘着が容易となる。
【００２８】
また、粘着部上に剥離材を備えたので、シート材の取り扱いが簡便となる。
【００２９】
次に、上記実施の形態１の他の例について説明する。上記実施の形態１では、シート材２を正方形にてなる例を示したが、これに限られることはなく、図５に示すように、ネイル除去具１０は、シート材２０が長方形にて形成され、シート材２０上に横断するように配設された粘着部３０と、粘着部３０上に剥離材４０とを備える場合が考えられる。このように、シート材２０を長方形に形成することにより、ネイル除去具１０を必要最小限量のシート材２０にて形成できる可能性がある。
また、図６に示すように、ネイル除去具１１は、シート材２１が円形にて形成され、シート材２１上に横断するように配設された粘着部３１と、粘着部３１上に剥離材４１を備える場合が考えられる。このように、シート材２１を円形にて形成することにより、美観に優れた外観を得ることができる。また、花形、他の多角形なども考えられる。
【００３０】
また、上記実施の形態１では、粘着部３をシート材２に横断するように形成する例を示したが、これに限られることはなく、図７に示すように、ネイル除去具１３は、シート材２３が正方形にて形成され、シート材２３上に配設されたシート材２３の長さより短い長さにて形成された粘着部３３と、粘着部３３上に剥離材４３とを備える場合が考えられる。このように、粘着部３３がシート材２３の長さより短く形成されているため、必要最小限の部分にのみ粘着部３３を形成することができ、低コストにて形成することができる可能性がある。
【００３１】
また、上記実施の形態１では、粘着部３をシート材２の中央部に形成する例を示したが、これに限られることはなく、図８に示すように、ネイル除去具１４は、シート材２４が正方形にて形成され、シート材２４上の中央部と異なる部分に形成された粘着部３４と、粘着部３４上に剥離材４４とを備える場合が考えられる。このように、粘着部３４が中央部以外の箇所で形成されていると、指６の爪７を有する部分を一方方向のみから覆うように巻き付けるため、さらにネイル除去化粧料の密封性を向上させることができる可能性がある。
【００３２】
また、上記実施の形態１では、粘着部３を直線状にて形成する例を示したが、これに限られることはなく、図９に示すように、ネイル除去具１５は、シート材２５が正方形にて形成され、シート材２４上の横断するように形成され中央部の幅が両端の幅より漸次大きくなるような曲線状にて形成された粘着部３５と、粘着部３５上に剥離材４５とを備える場合が考えられる。このように、粘着部３４の中央部の幅の広い部分において、吸液部を粘着するため、吸液部を確実に粘着部３に粘着することができる。また、粘着部の形状は、他の形状であっても、上記実施の形態１と同様に実施することができる範囲であればよい。
【００３３】
これらのように形成されたそれぞれの場合であっても、上記実施の形態１と同様に、粘着部の長さは、指の爪を有する一方面側から指の爪と反する他方面側に粘着する長さを有し、シート材の形状は、粘着部を指の爪を有する一方面側から上記指の爪と反する他方面側に粘着させた状態において、指の爪を有する部分を覆うように巻き付けることができる形状にて形成されていれば、上記実施の形態１と同様の効果を奏することができる。
【００３４】
実施の形態２．
図１０はこの発明の実施の形態２におけるネイル除去具の構成を示した図である。図において、上記実施の形態１と同様の部分は同一符号を付して説明を省略する。上記実施の形態１においては、吸液部を、剥離層を除去した後に、粘着して使用する例を示したが、本実施の形態２においては、図１０に示すように、ネイル除去具１２は、シート材２２、粘着部３２と、粘着部３２上に粘着された吸液部５２と、粘着部３２の吸液部５２が粘着されている箇所以外上に形成された剥離材４２とを備えているものである。
【００３５】
よって、上記実施の形態２のネイル除去具の使用方法は、上記実施の形態１と比較して、吸液部５２の粘着を行う工程を削減することができ、他の工程を上記実施の形態１と同様に行うことができる。
【００３６】
上記のように構成された実施の形態２によれば、作業工程を削減することができ、低コストにて作業（人件費の削減）を行うことができる。また、吸液部を不本意な位置に粘着することを防止できる。
【００３７】
尚、本発明は、その発明の範囲内において、実施の形態を適宜、変形、省略することが可能である。
【符号の説明】
【００３８】
１  ネイル除去具、２  シート材、３  粘着部、３ａ  一部、３ｂ  他部、
４  剥離材、５  吸液部、６  指、６ａ  一方面、６ｂ  他方面、７  爪、
１０  ネイル除去具、２０  シート材、３０  粘着部、４０  剥離材、
１１  ネイル除去具、２１  シート材、３１  粘着部、４１  剥離材、
１２  ネイル除去具、２２  シート材、３２  粘着部、４２  剥離材、５２  吸液部、
１３  ネイル除去具、２３  シート材、３３  粘着部、４３  剥離材、
１４  ネイル除去具、２４  シート材、３４  粘着部、４４  剥離材、
１５  ネイル除去具、２５  シート材、３５  粘着部、４５  剥離材。
【図１】
2013220257.tif 000003
【図２】
2013220257.tif 000004
【図３】
2013220257.tif 000005
【図４】
2013220257.tif 000006
【図５】
2013220257.tif 000007
【図６】
2013220257.tif 000008
【図７】
2013220257.tif 000009
【図８】
2013220257.tif 000010
【図９】
2013220257.tif 000011
【図１０】
2013220257.tif 000012